(57)【要約】【課題】  撮影画像を複数の利用者が１つの表示画面内で編集する場合においても、利用者が空間的窮屈さやそれに伴う操作のしにくさを感じないような写真シール自販機の画像編集方法を提供すること。【解決手段】  撮影手段によって撮影した被写体画像を画面に表示して編集する写真シール自販機における画像編集方法であって、利用者によって選択された複数の編集対象画像を１つの表示装置画面内に表示する第１のステップと、表示された各編集対象画像の画面上における配置変更操作をそれぞれ独立して受付ける第２のステップと、受付けた配置変更操作に対して編集対象画像の画面上の配置を変更する第３のステップとを備えることを特徴とする。【選択図】      図５
2005084899.tif 000002
【特許請求の範囲】
【請求項１】
撮影手段によって撮影した被写体画像を画面に表示して編集する写真シール自販機における画像編集方法であって、
利用者によって選択された複数の編集対象画像を１つの表示装置画面内に表示する第１のステップと、
表示された各編集対象画像の画面上における配置変更操作をそれぞれ独立して受付ける第２のステップと、
受付けた配置変更操作に対して編集対象画像の画面上の配置を変更する第３のステップと
を備えることを特徴とする写真シール自販機における画像編集方法。
【請求項２】
前記第２のステップにおいて、編集対象画像の回転操作または移動操作を受付け、前記第３のステップにおいて、前記第２のステップで受付けた回転操作または移動操作に応じて、編集対象画像の画面上の向きを回転または画面上での位置を移動することを特徴とする請求項１に記載の写真シール自販機における画像編集方法。
【請求項３】
撮影手段によって撮影した被写体画像を画面に表示して編集する写真シール自販機において、
利用者によって選択された複数の編集対象画像を１つの表示画面内に表示する表示手段と、
表示された各編集対象画像の画面上における配置変更操作をそれぞれ独立して受付け、受付けた配置変更操作に対して編集対象画像の画面上の配置を変更する画像配置変更手段と
を備えることを特徴とする写真シール自販機。
【請求項４】
前記画像配置変更手段は、編集対象画像の回転操作または移動操作を受付け、その受付けた回転操作または移動操作に応じて、編集対象画像の画面上の向きを回転または画面上での位置を移動する手段を備えることを特徴とする請求項３に記載の写真シール自販機。
【発明の詳細な説明】
【技術分野】
【０００１】
本発明は、利用者の全身または上半身の画像を撮影し、その撮影画像に対して利用者が好みの画像（手書きの模様や文字等）を描画したものを合成編集する画像編集方法および編集画像をシール紙に印刷出力する写真シール自販機に関するものである。
【背景技術】
【０００２】
従来、写真シール自販機というアミューズメント装置が知られている。写真シール自販機は、利用者の全身または上半身の画像を撮影し、その撮影画像に、あらかじめ用意された背景画像や、利用者が自由に作成した模様や文字を含む画像を合成編集して、シール紙に印刷出力する装置である。
最近では、ペン型の入力装置（以下、タッチペンと呼称）によって、画面上に表示された撮影画像に触れることで模様や文字を入力し、それらを画像上の触れた位置に合成する編集機能を備えたものが数多く提供されている。
それらの画像編集機能は、あたかも撮影画像に直接、模様や文字を描画している感覚で画像編集を行うことができるようになっており、その使い勝手の良さから、多くの利用者に受け入れられている。
ところで、これらの写真シール自販機は、複数人が一組となって利用することが一般的である。そのため、従来装置の中には、タッチペンを複数個備え、画像編集の際に、複数の利用者が同時に画像への編集操作を行えるものが存在している。しかし、複数の利用者が１つの表示画面に対して同時に操作を行う場合、操作する全員が画面に対して顔と身体を近づけるため、空間的に窮屈で操作しにくくなる。また、その窮屈さを回避するために利用者同士が身体を離して操作をすると、利用者の顔の位置が画面からずれ、利用者には編集対象である画像が斜めに見えることになるため、やはり操作しにくくなる。従来装置の内の大半がこれら操作しにくさの問題を持っており、これらの問題は解決すべき課題となっている。
【０００３】
そこで、このような問題を解決するために、特開２００２−７７７８２号公報に記載されている写真シール自販機がある。
この写真シール自販機は、２つの画像表示画面を設けたものである。
この写真シール自販機にあっては、２人の利用者が同時に画像編集操作を行う際に、それぞれ別の表示画面に対して編集操作を行うことになるので、互いの身体が近づくことがない。それによって、利用者が窮屈さを感じることなく、画面を見やすい角度で見ながら操作をすることができる。
【特許文献１】特開２００２−７７７８２号公報
【発明の開示】
【発明が解決しようとする課題】
【０００４】
しかしながら、上記特開２００２−７７７８２号公報に記載の写真シール自販機にあっては、２つの表示画面を設けることになるため、装置自体の製造コストが増大するという問題があり、１つの表示画面という制限の下で上記の問題を解決することが要請されている。
【０００５】
本発明の目的は、撮影画像を複数の利用者が１つの表示画面内で編集する場合においても、利用者が空間的窮屈さやそれに伴う操作のしにくさを感じないような写真シール自販機の画像編集方法および該方法を適用した写真シール自販機を提供することにある。
【課題を解決するための手段】
【０００６】
上記目的を達成するために、本発明に係る写真シール自販機の画像編集方法は、利用者によって選択された複数の編集対象画像を１つの表示装置画面内に表示する第１のステップと、表示された各編集対象画像の画面上における配置変更操作をそれぞれ独立して受付ける第２のステップと、受付けた配置変更操作に対して編集対象画像の画面上の配置を変更する第３のステップとを備えることを特徴とする。
また、前記第２のステップにおいて、編集対象画像の回転操作または移動操作を受付け、前記第３のステップにおいて、前記第２のステップで受付けた回転操作または移動操作に応じて、編集対象画像の画面上の向きを回転または画面上での位置を移動することを特徴とする。
本発明に係る写真シール自販機は、利用者によって選択された複数の編集対象画像を１つの表示画面内に表示する表示手段と、表示された各編集対象画像の画面上における配置変更操作をそれぞれ独立して受付け、受付けた配置変更操作に対して編集対象画像の画面上の配置を変更する画像配置変更手段とを備えることを特徴とする。
そして、前記画像配置変更手段は、編集対象画像の回転操作または移動操作を受付け、その受付けた回転操作または移動操作に応じて、編集対象画像の画面上の向きを回転または画面上での位置を移動する手段を備えることを特徴とする。
【発明を実施するための最良の形態】
【０００７】
以下、本発明を実施する場合の形態の一例を、図面を参照して具体的に説明する。
図１〜３は、本発明の一実施形態である写真シール自販機の装置構成例を示している。図１は装置全体の外観を斜めから見た図であり、図２は装置筐体を正面から見た図であり、図３は図１および図２の構成における各部の接続関係を示した機能構成ブロック図である。
図１において、１は装置の筐体であり、内部に各種の装置が納められている。２は外装フレームであり、箱状に筐体１を覆うように組まれ、その一側面に筐体１を設置し、その他の側面は外装カーテンで覆われている。
【０００８】
図２および図３において、３は制御用パーソナルコンピュータ（以下、ＰＣと呼称）であり、撮影処理、画像編集処理、各種ハードウェア制御等を行う。４はスピーカであり、操作中に流れる音楽やガイダンスの音声、効果音等の音声信号を出力する。５はデジタルカメラであり、被写体を撮影し、その撮影画像を制御用ＰＣ３に出力する。６は課金装置であり、利用料金を受け付け収納する。７は照明ライトであり、筐体１の前方に位置する被写体（利用者）に照明を与える。８はストロボであり、撮影時に被写体に対して短時間の閃光発光を行う。
９はタッチペン検出機能付きモニタであり、利用者に対し画像やメッセージを表示する。また、タッチペン検出機能付きモニタ９は、デジタイザ（座標入力装置）の機能を備えている。１０ａおよび１０ｂはタッチペンであり、タッチペン検出機能付きモニタ９（以下、モニタと略記）を介して画像編集などに必要な操作入力を行う。
タッチペン１０ａまたは１０ｂの先端をモニタ９の画面に接触させる（以下、この操作を「タップする」と呼称）と、触れた位置が検出される。例えば、モニタ９の表示画面に表示されたボタン等のアイコン上を利用者がタッチペン１０ａでタップすると、その位置が検出され、その位置にあるアイコンに割り当てられた機能または動作を開始する、といったことが可能になっている。
１１は小型の液晶モニタであり、デジタルカメラ５からビデオ映像信号を入力し、デジタルカメラ５の撮影映像をリアルタイムに表示し、主に利用者が撮影時に被写体となっている自分の姿を確認するために使用される。
１２はプリンタであり、制御用ＰＣ３から撮影画像または撮影画像に編集を加えた画像データを入力し、所定のシール紙に印刷する。１３は制御ボックスであり、制御用ＰＣ３と課金装置６、照明ライト７、ストロボ８等の各種ハードウェアとの仲立ちとなり制御信号のやり取りを行う。１４は無停電電源装置であり、制御用ＰＣ３に電力を供給すると共に、電源断時には制御用ＰＣ３に対して安全にシャットダウンするよう制御信号を送る。１５は装置筐体を移動させる際に使用するキャスタであり、設置する位置が決まったらロックするようになっている。
【０００９】
図４は上記に示した実施形態の例における動作の流れを示すフローチャートである。
本実施形態の写真シール自販機は、図４に示すように、プレイ開始待ち処理（ステップＳ４０１）、撮影モード選択（ステップＳ４０２）、撮影処理（ステップＳ４０３）、撮影画像選択（ステップＳ４０４）、画像編集処理（ステップＳ４０５）、印刷レイアウト選択（ステップＳ４０６）、印刷処理（ステップＳ４０７）の工程に大別され、これらのステップを利用者ごとに繰り返し実行する。
図４において、装置は電源投入により、まずプレイ開始待ち処理を開始する（ステップＳ４０１）。コイン投入では定められた料金の投入により定額になった場合にプレイが開始されるが、最初の1枚目のコインを投入した段階で、カメラモードと、モニタ表示モードが動作し始める。これによってプレイ時間以外にモニタに表示された自分の映像によってポーズを確認することができる。
利用料金に相当する全額のコインが投入されると、プレイ開始待ち処理が始まる。
プレイ開始待ち処理が終了すると、次に撮影モードの選択を行う（ステップＳ４０２）。撮影モードとは、撮影時におけるストロボ８の発光の明るさ度合い等の条件を設定するモードのことである。この選択は、モニタ９の画面上に撮影条件設定を示すアイコンを複数表示し、利用者がその中から希望のものをタッチペン１０ａまたは１０ｂでタップすることによって行う。
撮影モード選択が終了すると、次に撮影処理を行う（ステップＳ４０３）。この処理は、デジタルカメラ５で被写体を撮影し、撮影画像を作成する。被写体画像は複数回撮影される。
【００１０】
撮影処理が終了すると、次に撮影画像の選択を行う（ステップＳ４０４）。この選択は、モニタ９の画面上にすべての撮影画像のサムネイルをアイコン表示し、利用者がその中から希望のものをタッチペン１０ａまたは１０ｂでタップすることによって行う。
撮影画像の選択が終了すると、次に画像編集処理を行う（ステップＳ４０５）。この処理は、利用者によるタッチペン１０ａおよび１０ｂの操作をもとに、ステップＳ４０４で選択した撮影画像に対して予め用意された画像や利用者が作成した模様等を合成編集し、編集画像を作成する。画像編集処理の詳細は後述する。
画像編集が終了すると、次に印刷レイアウトの選択を行う（ステップＳ４０６）。この選択は、モニタ９の画面上にレイアウトの見本を示すアイコンを複数表示し、利用者がその中から好みのものをタッチペン１０ａまたは１０ｂでタップすることによって行う。
印刷レイアウト選択が終了すると、次に印刷処理を行う（ステップＳ４０７）。この処理は、ステップＳ４０５で作成された編集画像を、ステップＳ４０６で選択された印刷レイアウトに従って縮小・配置し、シール紙に印刷する。
印刷処理が終了すると、印刷されたシール紙が排出され、装置の利用は終了となる。その後、ステップＳ４０１に戻り、次の利用者によるコイン投入を待つ。
【００１１】
図５は、図４のステップＳ４０５の画像編集処理を実施する際に、モニタ９に表示させる画面構成の一例を示した図である。
図５において、１６ａおよび１６ｂは編集対象の画像（以下、編集画像と言う）であり、この画像はステップＳ４０４において利用者が選択した撮影画像に編集を加えたものである。１７ａおよび１７ｂはパレットである。画像編集の際に描画する模様を決定するものを「描画ツール」と呼称するのだが、利用者がパレット１７ａおよび１７ｂに入力することによって、複数用意された描画ツールの中から１つが選択され、描画される模様が決定する。１８ａおよび１８ｂは画像配置変更タブアイコン（以下、画像配置変更タブと言う）であり、利用者は画像配置変更タブ１８ａおよび１８ｂを用いて編集画像１６ａおよび１６ｂの画面上における表示位置を変更する。１９は編集終了ボタンアイコン（以下、終了ボタンと言う）であり、利用者が終了ボタン１９をタッチペン１０ａまたは１０ｂでタップすると画像編集処理を終了する。
【００１２】
上記のパレット１７ａ，１７ｂ，画像配置変更タブアイコン１８ａ，１８ｂ，編集終了ボタンアイコン１９は、タッチペン１０ａおよび１０ｂからの入力を受け取ったときに、それぞれに割り当てられた処理を実行する。画像編集処理は、利用者がタッチペン１０ａおよび１０ｂによる上記のパレット１７ａ，１７ｂ，画像配置変更タブアイコン１８ａ，１８ｂ，編集終了ボタンアイコン１９への入力および編集画像１６ａ，１６ｂへの入力を繰り返すことで行われる。
タッチペン１０ａ，１０ｂ、編集画像１６ａ，１６ｂ、パレット１７ａ，１７ｂ、画像配置変更タブアイコン１８ａ，１８ｂ，編集終了ボタンアイコン１９は画像編集処理に関わる要素である。
これらの画像編集処理に関わる要素は、Ａ、Ｂ、Ｃの３つのグループに大別される。Ａのグループは、タッチペン１０ａ、編集画像１６ａ、パレット１７ａ、画像配置変更タブ１８ａの４つを含み、Ｂのグループは、タッチペン１０ｂ、編集画像１６ｂ、パレット１７ｂ、画像配置変更タブ１８ｂの４つを含み、Ｃのグループは、終了ボタン１９を含む。３つのグループのうち、ＡとＢは互いに独立、非干渉である。たとえば、Ａに属する編集画像１６ａはＢに属するタッチペン１０ｂの入力を受付けない。
【００１３】
以下において、各要素のグループの画像編集処理の詳細を説明するが、ＡグループとＢグループの要素はそれぞれ同じ機能を持っているので、以下ではＡグループについてのみ説明し、Ｂグループについての説明は省略する。
図５（ａ）における１６ａは編集画像である。利用者が、この画像上の任意の位置をタッチペン１０ａで触れたり、触れたまま移動（以下、この操作を「ドラッグ」と言う）したりすると、それが画像への編集入力になる。編集画像１６ａに対して何らかの編集操作が行われると、その時にタッチペン１０ａが触れている位置に模様や線が描画され、その模様や線が対象の編集画像と合成編集される。これにより、利用者は画像の上に直接描画する感覚で画像を編集することができる。
図５（ａ）における１７ａはパレットである。パレット１７ａの上には選択可能な描画ツールを示すアイコンが複数並べて表示されている。利用者が、タッチペン１０ａでそれらのアイコンをタップすると、その時点で選択されている描画ツールが、タップしたアイコンに対応するものに変更される。その後でタッチペン１０ａによって編集画像１６ａに触れると、新たに選択された描画ツールに対応する模様や線が描画される。
なお、パレット１７ａ，１７ｂは図５（ｂ）に示すように、編集画面１６ａ，１６とは独立した位置に表示させるようにしてもよい。
図５（ａ）における１８ａは画像配置変更タブである。編集画像１６ａの表示位置変更の方法（以下、移動モードと呼称）は２種類あり、１つを「回転」と称し、もう１つを「平行移動」と称する。
【００１４】
タッチペン１０ａで画像配置変更タブ１８ａをタップすると、編集画像１６ａの移動モードが「回転」から「平行移動」へ、あるいは「平行移動」から「回転」へと切り替わる。また、タッチペン１０ａで画像配置変更タブ１８ａをドラッグすると、その時点における移動モードに対応する動作をする。
まず、編集画像１６ａの移動モードが「回転」の時にタッチペン１０ａで画像配置変更タブ１８ａをドラッグした場合は、編集画像１６ａの中心（２本の対角線の交点）を回転軸としてドラッグした方向にその編集画像１６ａが回転する。このとき回転する角度は、図６（ａ），（ｂ）に示すように、ドラッグの始点を点Ｓ、編集画像１６ａの中心を点Ｏ、ドラッグの終点を点Ｅとしたときに、３つの点からなる角ＳＯＥの大きさと等しい。
次に、編集画像１６ａの移動モードが「平行移動」の時にタッチペン１０ａで画像配置変更タブ１８ａをドラッグした場合は、編集画像１６ａがドラッグした方向に平行移動する。このとき移動する距離は、図７（ａ）に示すように、ドラッグの始点を点Ｓ、ドラッグの終点を点Ｅとしたときに、２つの点を結ぶ直線ＳＥの長さと等しい。
このような「回転」と「平行移動」を組み合わせて実行することで、利用者は編集画像１６ａの配置を操作し易いように変更できる。
【００１５】
図５における２０は確認ボタンアイコンである。確認ボタンアイコン２０をタッチペン１０ａでタップすると、一時的に画像の配置を初期状態に戻して表示する。これによって、利用者は、編集を施した画像の出来栄えを、画像を真直ぐな状態にして確認することができる。
【００１６】
図８〜図１２はステップＳ４０５の画像編集処理の詳細を示すフローチャートである。図８が画像編集処理の全体的な流れであり、図９〜図１２は図８のフローチャートにおける部分的な処理の詳細である。以下の説明においても、ＡのグループとＢのグループの両方に含まれる要素については、Ａのみを記述し、Ｂについては省略する。
図８は画像編集処理の全体的な流れである。画像編集処理は制御用ＰＣ１５のメモリ内に格納されたプログラムによって実現されるものである。
まず、利用者によって選択された編集画像１６ａをモニタ９画面に表示する（ステップＳ８０１）。画像を表示する位置は、後のステップにおける処理を実行することで自由に変更することができる。
次に、利用者によるタッチペン１０ａからの操作入力があったかどうかを判定する（ステップＳ８０２）。タッチペン１０ａの入力があった場合はステップＳ８０３に進み、なかった場合はステップＳ８０６に進む。
ステップＳ８０３では、タッチペン１０ａの入力座標（この座標をｐで表す）を取得する。その次に、座標ｐの位置に終了ボタン１９が存在するかどうかを判定する（ステップＳ８０４）。終了ボタン１９が存在した場合は画像編集処理を終了し、終了ボタン１９が存在しない場合は、タッチペン１０ａの入力の種類に応じた処理を行い（ステップＳ８０５）、その処理を終えた後でステップＳ８０６に進む。
ステップＳ８０６では、設定時間が経過したかどうかを判定する（ステップＳ８０６）。この時点で設定時間が経過していたら画像編集処理を終了し、経過していなかったらステップＳ８０１に戻り、一連の処理を繰り返す。
以上が図８に示された処理の流れである。
【００１７】
図９は、図８における入力別処理（ステップＳ８０５）の詳細を示すフローチャートである。
まず、座標ｐの位置に編集画像１６ａが存在するかどうかを判定する（ステップＳ９０１）。座標ｐの位置に編集画像１６ａが存在した場合は、編集画像に対し入力された処理（ステップＳ９０２）を実行してから入力別処理（ステップＳ８０５）を終了する。座標ｐの位置に編集画像１６ａが存在しない場合はステップＳ９０３に進む。
ステップＳ９０３では、座標ｐの位置にパレット１７ａが存在するかどうかを判定する。座標ｐの位置にパレット１７ａが存在した場合は、パレットに入力した場合の処理（ステップＳ９０４）を実行してから入力別処理（ステップＳ８０５）を終了し、座標ｐの位置にパレット１７ａが存在しない場合はステップＳ９０５に進む。
ステップＳ９０５では、座標ｐの位置に画像配置変更タブ１８ａが存在するかどうかを判定する。座標ｐの位置に画像配置変更タブ１８ａが存在した場合は、画像配置変更タブに入力した場合の処理（ステップＳ９０６）を実行してから入力別処理（ステップＳ８０５）を終了し、座標ｐの位置に画像配置変更タブ１８ａが存在しない場合はステップＳ９０７に進む。
ステップＳ９０７では、座標ｐの位置に確認ボタン２０が存在するかどうかを判定する。座標ｐの位置に確認ボタン２０が存在した場合は、確認ボタン２０に入力した場合の処理（ステップＳ９０８）を実行してから入力別処理（ステップＳ８０５）を終了し、座標ｐの位置に確認ボタン２０が存在しない場合は、そのまま入力別処理（ステップＳ８０５）を終了する。
以上が図９に示された処理の流れである。
【００１８】
図１０は、図９におけるステップＳ９０２の詳細を示すフローチャートである。
まず、現在選択されている描画ツールに対応する模様を描画する（ステップＳ１００１）。次に、描画した模様を編集画像１６ａ上の座標ｐの位置に合成する（ステップＳ１００２）。
以上が図１０に示された処理の流れである。
【００１９】
図１１は、図９におけるステップＳ９０４の詳細を示すフローチャートである。
まず、タッチペン１０ａによる入力がドラッグであったかどうかを判定する（ステップＳ１１０１）。入力がドラッグであった場合はそこでステップ９０４の処理を終了し、入力がドラッグでなかった場合はステップＳ１１０２に進む。
ステップＳ１１０２では、タッチペン１０ａによる入力がタップであったかどうかを判定する。入力がタップであった場合はステップＳ１１０３に進み、入力がタップでなかった場合はそこでステップＳ９０４の処理を終了する。
ステップＳ１１０３では、座標ｐにあるパレット１７ａ上のアイコンがどの描画ツールのものであるかを判別する。次に、判明した描画ツールを新たに選択し（ステップＳ１１０４）、ステップＳ９０４の処理を終了する。これ以降、編集画像に描画する際には、その描画ツールに対応する模様が描画されることになる。
以上が図１１に示された処理の流れである。
【００２０】
図１２は、図９におけるステップＳ９０６の詳細を示すフローチャートである。
まず、タッチペン１０ａによる入力がタップであったかどうかを判定する（ステップＳ１２０１）。入力がタップであった場合はステップＳ１２０２に進み、入力がタップでなかった場合はステップＳ１２０６に進む。
ステップＳ１２０２では、現在の移動モードが「回転」であるかどうかを判定する。現在の移動モードが「回転」である場合は、移動モードを「平行移動」に変更（ステップＳ１２０３）してからステップＳ９０６の処理を終了し、現在の移動モードが「回転」でない場合はステップＳ１２０４に進む。
ステップＳ１２０４では、現在の移動モードが「平行移動」であるかどうかを判定する。現在の移動モードが「平行移動」である場合は、移動モードを「回転」に変更（ステップＳ１２０５）してからステップＳ９０６の処理を終了し、現在の移動モードが「平行移動」でない場合は何もせずにステップＳ９０６の処理を終了する。
【００２１】
ステップＳ１２０６では、タッチペン１０ａによる入力がドラッグであったかどうかを判定する。入力がドラッグであった場合はステップＳ１２０７に進み、入力がドラッグでなかった場合はそこでステップＳ９０６の処理を終了する。
ステップＳ１２０７では、現在の移動モードが「回転」であるかどうかを判定する。現在の移動モードが「回転」である場合は、編集画像１６ａをドラッグの方向と長さに応じて回転（ステップＳ１２０８）させてからステップＳ９０６の処理を終了し、現在の移動モードが「回転」でない場合はステップＳ１２０９に進む。
ステップＳ１２０９では、現在の移動モードが「平行移動」であるかどうかを判定する。現在の移動モードが「平行移動」である場合は、編集画像をドラッグの方向と長さに応じて平行移動（ステップＳ１２１０）させてからステップＳ９０６の処理を終了し、現在の移動モードが「平行移動」でない場合はなにもせずにステップ９０６の処理を終了する。
以上が図１２に示された処理の流れである。
【００２２】
図１３は、図９におけるステップＳ９０８の詳細を示すフローチャートである。
まず、その時点における編集画像１６ａの配置の状態を記憶する（ステップＳ１３０１）。次に、編集画像１６ａの配置を初期状態に戻して表示する（ステップＳ１３０２）。このとき編集画像１６ａに施されている編集の状態は、そのまま保持される。
次に、タッチペン１０ａが、確認ボタン２０上から離れたか否かを判定し、タッチペン１０ａが確認ボタン２０上から離れていたらステップＳ１３０４に進み、離れていなければステップＳ１３０２に戻る。
ステップＳ１３０４では、画像の配置を、ステップＳ１３０１で記憶した状態に戻し、ステップＳ９０８の処理を終了する。
以上が図１３に示された処理の流れである。
【００２３】
以上の説明から明らかなように、上記の実施形態によれば、１つのモニタ９の画面上に２つの編集画面１６ａ，１６ｂを表示し、この編集画面１６ａ，１６ｂをそれぞれの利用者が独立して並列に編集操作を行えるようにし、かつそれぞれの編集画面１６ａ，１６ｂをモニタ９の画面上で任意の角度で任意の位置に配置可能なように構成したため、１つのモニタ９の画面上で複数の利用者が撮影画像の編集を行う場合であっても、利用者に空間的窮屈さやそれに伴う操作のし難さを感じさせることなく編集操作を行わせることができる。
なお、画面上での配置位置を変更した際に、２つの編集画面１６ａ，１６ｂの一部が重なった場合には、重なった部分を透明にして裏側に位置する編集画面の画像を見えるようにするなどの処理を行うようにすることができる。
【図面の簡単な説明】
【００２４】
【図１】本発明の一実施形態である写真シール自販機の外観を示す図である。
【図２】写真シール自販機の装置筐体を正面から見た図である。
【図３】図１および図２の構成における各部の接続関係を示したブロック図である。
【図４】本発明の一実施形態である写真シール自販機の動作の流れを示すフローチャートである。
【図５】画像編集処理を行う画面の実施例を示す図である。
【図６】移動モードが「回転」の時に画像配置変更タブ１８ａおよび１８ｂをドラッグした場合の動作例を示す図である。
【図７】移動モードが「平行移動」の時に画像配置変更タブ１８ａおよび１８ｂをドラッグした場合の動作例を示す図である。
【図８】画像編集処理の流れを示すフローチャートである。
【図９】画像編集処理において、タッチペンの入力を受け取った時の処理の流れを示すフローチャートである。
【図１０】画像編集処理において、タッチペンで編集画像１６ａおよび１６ｂの上に触れた時の処理の流れを示すフローチャートである。
【図１１】画像編集処理において、タッチペンでパレット１７ａおよび１７ｂの上に触れた時の処理の流れを示すフローチャートである。
【図１２】画像編集処理において、タッチペンで画像配置変更タブ１８ａおよび１８ｂの上に触れた時の処理の流れを示すフローチャートである。
【図１３】画像編集処理において、タッチペンで確認ボタン２０の上に触れた時の処理の流れを示すフローチャートである。
【符号の説明】
【００２５】
１  装置筐体
２  外装フレーム
３  制御用ＰＣ
４  スピーカ
５  デジタルカメラ
６  課金装置
７  照明ライト
８  ストロボ
９  タッチペン検出機能付きモニタ
１０ａ、１０ｂ…タッチペン
１１  液晶モニタ
１２  プリンタ
１３  制御ボックス
１４  無停電電源装置
１５  キャスタ
１６ａ、１６ｂ  編集画像
１７ａ、１７ｂ  パレット
１８ａ、１８ｂ  画像配置変更タブ
１９  終了ボタン
２０  確認ボタン
【図１】
2005084899.tif 000003
【図２】
2005084899.tif 000004
【図３】
2005084899.tif 000005
【図４】
2005084899.tif 000006
【図５】
2005084899.tif 000007
【図６】
2005084899.tif 000008
【図７】
2005084899.tif 000009
【図８】
2005084899.tif 000010
【図９】
2005084899.tif 000011
【図１０】
2005084899.tif 000012
【図１１】
2005084899.tif 000013
【図１２】
2005084899.tif 000014
【図１３】
2005084899.tif 000015